(57)【要約】【課題】  見栄えのよい表示パネルを提供する。【解決手段】  表示パネル３は、固定表示領域６と可変表示領域８とを有する表示素子１２と、前記固定表示領域８に設けられる遮光層１３と、前記表示素子１２の表示面側に設けられる板材１４と、前記表示素子１２によって透過照明される固定意匠部７と、を有する表示パネル３であって、前記遮光層１３は、前記板材１４の反表示面側に設けられ前記固定意匠部７と対向する開口部２６を備える。【選択図】図１
2006153684.tif 000002
【特許請求の範囲】
【請求項１】
固定表示領域と可変表示領域とを有する表示素子と、
前記固定表示領域に設けられる遮光層と、
前記表示素子の表示面側に設けられる板材と、
前記表示素子によって透過照明される固定意匠部と、
を有する表示パネルであって、
前記遮光層は、前記板材の反表示面側に設けられ前記固定意匠部と対向する開口部を備えることを特徴とする表示パネル。
【請求項２】
前記固定意匠部は、前記板材の表示面側に設けられ、
前記遮光層は、前記固定意匠部の輪郭よりも小さく形成される前記開口部と、前記固定意匠部と重なりあう重合部と、前記固定意匠部と重ならない非重合部と、を有することを特徴とする請求項１に記載の表示パネル。
【請求項３】
前記板材は、表示面に前記固定意匠部を備え、反表示面に前記遮光層を備えることを特徴とする請求項１に記載の表示パネル。
【請求項４】
前記板材は、透過抑制部材であることを特徴とする請求項１に記載の表示パネル。
【発明の詳細な説明】
【技術分野】
【０００１】
本発明は、例えば、車両用表示装置に組み込まれ、固定表示領域と可変表示領域とを備える表示パネルに関するものである。
【背景技術】
【０００２】
従来、特許文献１に開示される表示パネルが知られている。表示パネルは、表示素子と、表示パネル（以下文字板とする）と、見切り部材とからなる。表示素子は、指針によって指示される目盛り及び数字や車両の運転状態を示すウォーニング等の固定情報（固定意匠）を表示する固定表示領域と、走行距離等の可変情報（可変意匠）を日の字型セグメントによって表示する可変表示領域とを備える。固定表示領域と可変表示領域とは、文字板と見切り部材によって区画されている。文字板は、固定表示領域において透過性のインクによって目盛り等の固定意匠が印刷され、固定意匠を除いて遮光性の黒色インクによってマスクが印刷され、表示素子によって透過照明される。以上のような表示パネルは、単一の表示パネルによって構成されているため、各表示領域に発光素子や表示パネルを設けるものと比べて輝度調整作業や設計を容易にできるという効果がある。
【特許文献１】特開２００３−２４０６６１号公報
【発明の開示】
【発明が解決しようとする課題】
【０００３】
近年表示パネルにおいては、限られたスペースの中で表示する情報量の増加や表示方法の多様化に加えてデザイン性や見栄えの良さが求められているが、前記特許文献１記載の表示パネルは、固定表示領域と可変表示領域とを見切り部材によって区画する構成であるため、固定表示領域と、可変表示領域との境目が、見切り部材の厚みによる段差によって目立ってしまい、見栄えを低下させてしまう恐れがある。
【０００４】
一方、見切り部材に替えて黒色インク等を用いて遮光マスク印刷を施すことも考えられるが、固定表示領域との境目が印刷による段差によって目立ってしまったり、遮光性の黒色インクで覆われる固定表示領域の黒色インクの背景色と、ポジ表示する可変表示領域の背景色との色調及び質感の違いが際立ってしまい、見栄えを損なってしまう恐れがある。
【０００５】
本発明は、このような問題に鑑み、表示パネルにおいて、見栄えのよい表示パネルを提供することを目的とする。
【課題を解決するための手段】
【０００６】
本発明は、前記課題を解決するために、固定表示領域と可変表示領域とを有する表示素子と、前記固定表示領域に設けられる遮光層と、前記表示素子の表示面側に設けられる板材と、前記表示素子によって透過照明される固定意匠部と、を有する表示パネルであって、前記遮光層は、前記板材の反表示面側に設けられ前記固定意匠部と対向する開口部を備えることを特徴とする。
【０００７】
また、本発明は、請求項２に記載したように、前記固定意匠部は、前記板材の表示面側に設けられ、前記遮光層は、前記固定意匠部の輪郭よりも小さく形成される前記開口部と、前記固定意匠部と重なりあう重合部と、前記固定意匠部と重ならない非重合部と、を有することを特徴とする。
【０００８】
また、本発明は、請求項３に記載したように、前記板材は、表示面に前記固定意匠部を備え、反表示面に前記遮光層を備えることを特徴とする。
【０００９】
また、本発明は、請求項４に記載したように、前記板材は、透過抑制部材であることを特徴とする。
【発明の効果】
【００１０】
本発明は、見栄えのよい表示パネルを提供することができる。
【発明を実施するための最良の形態】
【００１１】
以下、添付図面に基づいて、本発明による表示素子を適用した表示装置の実施形態を説明する。
【００１２】
図１から図７は、本発明による表示パネルを適用した表示装置の第一の実施形態を示す正面図である。図１は、本実施形態の表示パネルを適用した表示装置の正面図であり、図２は、表示パネルの断面図であり、図３は、表示パネルの正面図である。図４は、偏光板（板材）の表示面図であり、図５は、偏光板の反表示面図であり、図６は、表示パネルの要部正面図及び断面図であり、図７は、視差を示す参考図である。
【００１３】
表示装置１は、指針２と、表示パネル３と、回路基板４と、見返し板５と、からなり、図１に示すように、固定表示領域６において指針２が指示する車両の速度を示す指標である数字及び単位（固定意匠部）７を表示し、指針２が回動しない表示領域下方に設けられる可変表示領域８において、時刻や走行距離等の車両情報（可変意匠部）９を表示する。
【００１４】
指針２は、指示部１０と、指針２の回転中心部を覆う指針キャップ１１と、を備える。指示部１０は、透明な合成樹脂からなり光を導く導光材料で形成され、後に詳述する表示パネル３によって照明される。指針キャップ１１は、遮光性の合成樹脂材料で形成される。
【００１５】
表示パネル３は、図２に示すように、有機ＥＬ素子（表示素子）１２と、遮光層１３と、円偏光板（板材）１４と、固定意匠部７と、からなる。有機ＥＬ素子１２は、支持部材１５と、有機ＥＬ素子層１６と、封止部材１７と、貫通孔１８（図３）と、固定表示領域６と、可変表示領域８と、からなり、固定表示領域６においては、固定意匠部７を透過照明し、可変表示領域８においては可変意匠部９を発光させるポジ表示を行う。
【００１６】
支持部材１５は、略長方形状の平板部材でガラスや透光性樹脂等からなり、有機ＥＬ素子層１６を支持する。
【００１７】
有機ＥＬ素子層１６は、セグメントによって固定表示領域６を構成し、ドットマトリクスによって可変表示領域８を構成する。透光性材料であるＩＴＯ（indium tin oxide）等を用いた陽極である透明電極１９と、ポリイミド系やフェノール系の感光性樹脂材料からなる電気絶縁性の絶縁層２０と、ドットマトリクスによって表示する可変表示領域８の有機ＥＬ素子層１６において用いられるフェノール系等の感光性樹脂材料からなる電気絶縁性の隔壁２１と、正孔注入層，正孔輸送層，発光層及び電子輸送層からなる有機層２２と、アルミニウム（Ａｌ）等の非透光性材料を用いた陰極である背面電極２３と、を順次蒸着法等により積層し、形成される。
【００１８】
封止部材１７は、例えば、ガラス材料の平板部材を支持部材１５よりも若干小さく、凹形状に形成し、底部と側部とによって有機ＥＬ素子層１６を収納する空間部Ｓを支持部材１５とによって構成する。封止部材１７は、底部の中央から突出する、貫通孔１８の周壁となる円柱状の突出部（図示しない）が形成され、突出部の高さは、側部と同等に設定される。封止部材１７は、底部に空間部Ｓの水分を吸収する吸湿剤Ｃが有機ＥＬ素子層１６と所定の空隙を隔てるように塗布される。封止部材１７は、支持部材１５との接合部に塗布される紫外線硬化型接着剤（図示しない）を介して支持部材１５に配設される。
【００１９】
有機ＥＬ素子１２は、有機ＥＬ素子層１６を積層した支持部材１５と封止部材１７とを接合して形成された後に、ドリルなどによって突出部の中心をくりぬくように貫通孔１８が形成される。このようにして形成された貫通孔１８には、指針２の指針軸（図示しない）が挿通される。
【００２０】
円偏光板１４は、透光性部材であり、外光の映りこみを防止するために有機ＥＬ素子１２上に設けられる。円偏光板１４は、直線偏光板と位相差板からなっており、直線偏光板の偏光軸と位相差板の光軸とのなす角を±４５度傾けることにより右巻き、あるいは左巻きの円偏光を得ることができる。そして、右円偏向は反射することにより左円偏向となり、左偏向は反射すると右円偏向となる。即ち、外部から入射した光（外部入射光）は、円偏光板１４を通過し、右旋回または左旋回の円偏向となり、背面電極２３にて反射すると、逆向きの円偏光となって有機ＥＬ素子１２外部に向かって進行する。背面電極２３にて反射した外部入射光は、入射光と逆向きの円偏光となっているので、円偏光板１４は、反射光を透過することなく、有機ＥＬ素子１２外部への進行を遮断し、反射による外光の映りこみを防ぐこととなる。
【００２１】
円偏光板１４は、図４に示すように、その表示面に固定意匠部７を備え、図５に示すようにその表示面の反対面に遮光層１３を備える。円偏光板１４は、透過抑制部材であり、無色透明ではなく、偏光によりグレーに視認される。透過率の低い円偏光板１４の反表示面に遮光層１３を設けることによって、固定表示領域６と可変表示領域８との境界Ｅを不明瞭にして目立たなくすることができ、固定表示領域６と可変表示領域８との一体感を演出し、表示パネル３の見栄えを良好なものとしている。なお、円偏光板１４に替わる板材１４として、グレーに着色されたカラーフィルム等を用いてもよい。
【００２２】
固定意匠部７は、指針指示される固定表示領域６において、円偏光板１４の表示面側に、車両の速度を示す数字及びその単位（固定意匠部）７が白色の透光性インクによって印刷される。固定意匠部７の配設位置が、円偏光板１４の表示面であり、遮光層１３と同様に円偏光板１４の反表示面でない理由は、円偏光板１４は、無色透明ではなく、グレーを帯びているため、白色の透光性インクによって印刷形成される固定意匠部７が円偏光板１４の表示面の反対面に設けられると、固定意匠部７は、グレーを帯びた円偏光板１４を介して視認されるため、所望の白色で視認されないからである。そのため、固定意匠部７を円偏光板１４の表示面に設けることで、固定意匠部７の表示色が円偏光板１４自体の色（グレー等有色の場合）に影響を受けることなく、固定意匠部７の表示色を演出できる。
【００２３】
固定意匠部７は、周囲が明るいときには外光が反射することによって表示され、周囲が暗いときには有機ＥＬ素子１２から発光する光によって透過照明されて表示される。これは、外光の明るい昼間に有機ＥＬ素子１２からの光によってのみ固定意匠部７を表示すると、有機ＥＬ素子１２の輝度を上げなければならず、電気抵抗値の増大をまねくという問題があるため、採用された表示方法である。
【００２４】
遮光層１３は、図４に示すように、可変表示領域８を除いた固定表示領域６において、円偏光板１４の表示パネル３との対向面に遮光性の黒色インクをスクリーン印刷することによって設けられる。遮光層１３は、グレーを帯びた円偏光板１４を介して視認されるため、遮光層１３が印刷形成される固定表示領域６と形成されない可変表示領域８との境界Ｅが目立たなくなり、両表示領域６，８の一体感が演出される。なお、境界Ｅを更に目立たなくする方法として、遮光層１３の境界Ｅに対応する部分（可変表示領域８を囲む部分）をグラデーション印刷とすることが考えられる。
【００２５】
遮光層１３は、図２及び図６に示すように、固定意匠部７と重なりあう重合部２４と、固定意匠部７と重ならない非重合部２５と、対向する固定意匠部７の輪郭よりもひと回り小さく形成される開口部２６と、を有する。即ち、開口部２６は、その形状を、対応する固定意匠部７の輪郭とおよそ相似の関係にあるものとし、表示面側からみると、遮光層１３の開口部２６は、固定意匠部７の内側に形成されている。
【００２６】
このように、遮光層１３に固定意匠部７とオーバーラップする重合部２４を設けた理由は、図７に示すように、固定意匠部７と対向する合同な形状の開口部２７を遮光層１３に設け、有機ＥＬ素子１２から発光する光が光の取り出し口である開口部２７をぬけて固定意匠部７を透過照明すると、利用者Ｕが斜めから表示パネル３を視認する際に、固定意匠部７の背後に光る開口部２７を視認してしまい、不自然な感じを受けてしまうからである。これは、視差と呼ばれるものであり、この距離は、固定意匠部７と開口部２７との距離であり、本実施形態においては円偏光板１４の厚さ（積層深さ）Ｗによって決定される。
【００２７】
そこで、本実施形態では、遮光層１３に固定意匠部７とオーバーラップする重合部２４を設けることで、図６に示すように、利用者Ｕが斜めから見た場合には遮光層１３（重合部２４）が利用者Ｕの視線を遮り、開口部７を直接視認することができなくする。すると、視差が解消され、不自然な感じがなくなり、見栄えが向上する。遮光層１３と開口部７との重なり幅（重合部２４の幅）Ｗは、積層深さ（固定意匠部７と開口部２７との距離）Ｄと比例関係にあるので、積層深さＤが浅いほど重なり幅Ｗを小さく、積層深さＤが深いほど重なり幅Ｗを大きく設定する。有機ＥＬ素子１２で発光する光を最大限利用して効率よく固定意匠部７を透過照明するためには、開口部２７はできるだけ大きいほうが望ましいので、重なり幅Ｗを小さくする必要があり、積層深さＷが浅くなるように遮光層１３の形成箇所を設定する。例えば、円偏光板１４と有機ＥＬ素子１２との間に他の板材を介する場合には、本実施形態のように、固定意匠部７を表示面に有する円偏光板１４の反表示面に遮光層１３（開口部７）を設けると効果的である。
【００２８】
回路基板４は、ガラスエポキシ樹脂からなる硬質の基板である。回路基板４は、その下側に指針２の駆動本体（図示しない）が固定されている。回路基板４は、可撓性接続部材（ＦＰＣ）などにより、有機ＥＬ素子１２と電気的に接続されてなる。
【００２９】
見返し板５は、遮光性の合成樹脂からなり、有機ＥＬ素子１２の表示領域６,８を露出させるための窓部２７を備える。見返し板５は、その窓部２７を囲むように、有機ＥＬ素子１２において表示される車両の速度を示す数字の指標に対応する目盛り２８を有する。目盛りは、見返し板５を切欠いてスリットを入れることによって設けられたものであり、有機ＥＬ素子１２から発光する光の透過により照明される。  
【００３０】
従って、かかる表示装置１は、固定表示領域６と可変表示領域８との一体感を演出し、見栄えを向上させるものである。加えて、遮光層１３に重合部２４を設けて視差を解消しすることで、さらに見栄えを向上させている。また、固定意匠部７を表示面に有する円偏光板１４の反表示面に遮光層１３（開口部７）を設けることで、有機ＥＬ素子１２で発光する光を最大限利用して効率よく固定意匠部７を透過照明している。また、板材１４に専用の部材を用いず、表示装置に必要とされる外光の映りこみを防止する円偏光板１４を用いることで、部品点数の削減及び表示パネル３の薄型化に貢献している。
【００３１】
なお、本実施形態において、固定表示領域６は、セグメントの有機ＥＬ素子１２によって固定意匠部７を透過照明するものであったが、面発光の有機ＥＬ素子１２を用いてもよい。可変表示領域８においても、ドットマトリクス表示ではなく、セグメント表示を用いるものであってもよい。
【００３２】
また、本実施形態は、固定意匠部７を円偏光板１４の表示面に設けたが、請求項１にかかる本発明においては、固定意匠部７を遮光層１３と共に円偏光板１４の表示面の反対面に設けてもよい。
【００３３】
また、表示素子１２に有機ＥＬ素子１２を用いたが、液晶や蛍光表示管でもよい。
【００３４】
また、本実施形態は、遮光層１３を円偏光板１４の表示面の反対面に印刷するものであったが、表示パネル３（支持板１５）の表示面に形成してもよい。
【００３５】
また、本実施形態は、板材１４として円偏光板１４を用いたが、色調整，色変換，輝度調整に用いられる光学部材等任意である。
【００３６】
また、本実施形態は、板材１４として円偏光板１４のみを用いたが、複数の板材を有機ＥＬ素子１２上に設けてもよく、複数の板材１４を設ける場合には、積層深さＤを浅くして、開口部２６を大きくするために、固定意匠部７を設けた板材１４の反表示面に遮光層１３を設けることで、効率よく固定意匠部７を透過照明することができる。
【図面の簡単な説明】
【００３７】
【図１】本発明の第一の実施形態を示す正面図。
【図２】同上実施形態を示す表示パネルの断面図。
【図３】同上実施形態を示す有機ＥＬ素子の正面図。
【図４】同上実施形態の偏光板の表示面図。
【図５】同上実施形態の偏光板の反表示面図。
【図６】同上実施形態の表示パネルの要部正面図及び断面図。
【図７】視差を示す参考図。
【符号の説明】
【００３８】
１  表示装置
２  指針
３  表示パネル
６  固定表示領域
７  固定意匠部
８  可変表示領域
９  可変意匠部
１２  有機ＥＬ素子（表示素子）
１３  遮光層
１４  円偏光板（板材）
２４  重合部
２５  非重合部
２６  開口部
Ｄ  積層深さ
Ｗ  重なり幅
【図１】
2006153684.tif 000003
【図２】
2006153684.tif 000004
【図３】
2006153684.tif 000005
【図４】
2006153684.tif 000006
【図５】
2006153684.tif 000007
【図６】
2006153684.tif 000008
【図７】
2006153684.tif 000009